(57)【要約】【課題】表示画面を変形させても予め定められた処理が実行されない場合に比べて、表示画面が変形可能な表示装置の利便性を向上させることを目的とする。【解決手段】端末装置１は、任意の箇所で変形可能な表示画面２１を有する画像表示部２と、表示画面２１の変形による表示画面２１のうちの一部の領域２１ａと他の一部の領域２１ｂとの重なりを検知する検知部と、一部の領域２１ａと他の一部の領域２１ｂとの重なりが検知部により検知されると、予め定められた処理を実行する実行部と、を備える。また、実行部は、表示画面２１のうちの相重ならない領域２１ｃが存在する場合に、相重ならない領域２１ｃを含めて表示画面２１に対して予め定められた処理を実行し又は相重ならない領域２１ｃと相重なる領域２１ａ、２１ｂとを区別して予め定められた処理を実行する。【選択図】図８
2018077289.tif 000002
【特許請求の範囲】
【請求項１】
任意の箇所で変形可能な表示画面を有する画像表示部と、
前記表示画面の変形による当該表示画面のうちの一部の領域と他の一部の領域との重なりを検知する検知部と、
前記一部の領域と前記他の一部の領域との重なりが前記検知部により検知されると、予め定められた処理を実行する実行部と、
を備える、表示装置。
【請求項２】
前記実行部は、前記表示画面のうちの相重ならない領域が存在する場合に、当該相重ならない領域を含めて当該表示画面に対して前記予め定められた処理を実行し又は当該相重ならない領域と相重なる領域とを区別して当該予め定められた処理を実行する請求項１記載の表示装置。
【請求項３】
前記実行部は、前記予め定められた処理として、前記相重ならない領域を含む前記表示画面に画像を表示させず、又は、当該相重ならない領域に画像を表示させ前記相重なる領域に画像を表示させない請求項２記載の表示装置。
【請求項４】
前記実行部は、前記表示画面の一端部と他端部とが重なっていることが前記検知部により検知されると、当該表示画面に画像を表示させない請求項１乃至３の何れか記載の表示装置。
【請求項５】
前記実行部は、データが表示されている前記一部の領域と前記他の一部の領域との重なりが前記検知部により検知されると、当該データを当該他の一部の領域に移動させる請求項１または２記載の表示装置。
【請求項６】
前記実行部は、データが表示されている前記一部の領域と前記他の一部の領域との重なりが前記検知部により検知されると、アプリケーションソフトウェアを用いて当該データを処理する請求項１または２記載の表示装置。
【請求項７】
前記表示画面の一端部に設けられ、当該表示画面が変形し当該表示画面のうちの当該一端部を含む前記一部の領域と前記他の一部の領域とが重なる際に当該他の一部の領域に作用する作用部をさらに備え、
前記実行部は、前記作用部の前記他の一部の領域への作用が前記検知部により検知されると、前記予め定められた処理を実行する請求項１乃至６の何れか記載の表示装置。
【請求項８】
前記作用部は、前記表示画面の各々の隅の部分に設けられ、
前記実行部は、２以上の前記作用部の前記他の一部の領域への作用が前記検知部により検知されると、前記予め定められた処理を実行する請求項７記載の表示装置。
【請求項９】
任意の箇所で変形可能な表示画面を有する画像表示部を備える端末装置として機能するコンピュータに、
前記表示画面の変形による当該表示画面のうちの一部の領域と他の一部の領域との重なりを検知する機能と、
前記一部の領域と前記他の一部の領域との重なりが検知されると、予め定められた処理を実行する機能と、
を実現させるためのプログラム。
【発明の詳細な説明】
【技術分野】
【０００１】
本発明は、表示装置およびプログラムに関する。
【背景技術】
【０００２】
特許文献１には、前面または背面にベンディングまたは折畳することができるフォールディング部は、端末装置ボディーの真中央領域に形成されることができるフレキシブル形態端末装置が開示されている。
【先行技術文献】
【特許文献】
【０００３】
【特許文献１】特開２０１４−１６１００９号公報
【発明の概要】
【発明が解決しようとする課題】
【０００４】
画像を表示する表示装置の画像表示部には、任意の箇所で変形可能な表示画面が設けられることがある。しかしながら、例えば表示画面を変形させても表示装置において予め定められた処理が行われず、表示画面を変形させることが活用されていなかった。
本発明は、表示画面を変形させても予め定められた処理が実行されない場合に比べて、表示画面が変形可能な表示装置の利便性を向上させることを目的とする。
【課題を解決するための手段】
【０００５】
請求項１に記載の発明は、任意の箇所で変形可能な表示画面を有する画像表示部と、前記表示画面の変形による当該表示画面のうちの一部の領域と他の一部の領域との重なりを検知する検知部と、前記一部の領域と前記他の一部の領域との重なりが前記検知部により検知されると、予め定められた処理を実行する実行部と、を備える、表示装置である。
請求項２に記載の発明は、前記実行部は、前記表示画面のうちの相重ならない領域が存在する場合に、当該相重ならない領域を含めて当該表示画面に対して前記予め定められた処理を実行し又は当該相重ならない領域と相重なる領域とを区別して当該予め定められた処理を実行する請求項１記載の表示装置である。
請求項３に記載の発明は、前記実行部は、前記予め定められた処理として、前記相重ならない領域を含む前記表示画面に画像を表示させず、又は、当該相重ならない領域に画像を表示させ前記相重なる領域に画像を表示させない請求項２記載の表示装置である。
請求項４に記載の発明は、前記実行部は、前記表示画面の一端部と他端部とが重なっていることが前記検知部により検知されると、当該表示画面に画像を表示させない請求項１乃至３の何れか記載の表示装置である。
請求項５に記載の発明は、前記実行部は、データが表示されている前記一部の領域と前記他の一部の領域との重なりが前記検知部により検知されると、当該データを当該他の一部の領域に移動させる請求項１または２記載の表示装置である。
請求項６に記載の発明は、前記実行部は、データが表示されている前記一部の領域と前記他の一部の領域との重なりが前記検知部により検知されると、アプリケーションソフトウェアを用いて当該データを処理する請求項１または２記載の表示装置である。
請求項７に記載の発明は、前記表示画面の一端部に設けられ、当該表示画面が変形し当該表示画面のうちの当該一端部を含む前記一部の領域と前記他の一部の領域とが重なる際に当該他の一部の領域に作用する作用部をさらに備え、前記実行部は、前記作用部の前記他の一部の領域への作用が前記検知部により検知されると、前記予め定められた処理を実行する請求項１乃至６の何れか記載の表示装置である。
請求項８に記載の発明は、前記作用部は、前記表示画面の各々の隅の部分に設けられ、前記実行部は、２以上の前記作用部の前記他の一部の領域への作用が前記検知部により検知されると、前記予め定められた処理を実行する請求項７記載の表示装置である。
請求項９に記載の発明は、任意の箇所で変形可能な表示画面を有する画像表示部を備える端末装置として機能するコンピュータに、前記表示画面の変形による当該表示画面のうちの一部の領域と他の一部の領域との重なりを検知する機能と、前記一部の領域と前記他の一部の領域との重なりが検知されると、予め定められた処理を実行する機能と、を実現させるためのプログラムである。
【発明の効果】
【０００６】
請求項１の発明によれば、表示画面を変形させても予め定められた処理が実行されない場合に比べて、表示画面が変形可能な表示装置の利便性を向上させることができる。
請求項２の発明によれば、表示画面のうちの相重ならない領域を形成できる表示装置において、予め定められた処理を実行することができる。
請求項３の発明によれば、表示装置のうちの相重なる領域に画像を表示させる場合に比べて、表示装置が消費する電力量を低減することができる。
請求項４の発明によれば、ユーザ表示画面を見なくなることを契機として、表示画面への画像表示を消すことができる。
請求項５の発明によれば、ユーザの直感的な操作に応じて、データを移動させることができる。
請求項６の発明によれば、ユーザの直感的な操作に応じて、アプリケーションソフトウェアを用いたデータの処理を実行することができる。
請求項７の発明によれば、表示画面のうちの一部の領域が作用を受けることなく表示画面が相重なることが検知される構成に比べて、表示画面が相重なることを検知する精度が向上する。
請求項８の発明によれば、作用部の数が、表示画面の各々の隅の部分に設けられるよりも少ない場合に比べて、ユーザの表示画面への接触に起因して表示画面が相重なっていると誤検知されることが抑制される。
請求項９の発明によれば、表示画面を変形させても予め定められた処理が実行されない場合に比べて、表示画面が変形可能な端末装置の利便性を向上させることができる。
【図面の簡単な説明】
【０００７】
【図１】本実施形態に係る端末装置の構成の全体図である。
【図２】（ａ）〜（ｄ）は、端末装置が変形したときの形態を示した図である。
【図３】（ａ）〜（ｄ）は、端末装置が変形したときの形態を示した図である。
【図４】折り畳み時処理を実現するための制御部の機能構成例を示した図である。
【図５】端末装置における作用部の各々の位置関係を示した図である。
【図６】（ａ）、（ｂ）は、表示画面を縦折りして畳んだときに重なり領域として検知される領域を示した図である。
【図７】表示画面を折り畳んだ際の検知処理の流れを示したフローチャートである。
【図８】（ａ）、（ｂ）は、折り畳み時処理としての表示画面の画像表示に係る処理を示した図である。
【図９】折り畳み時処理としての表示画面の画像表示に係る処理を示した図である。
【図１０】（ａ）、（ｂ）は、折り畳み時処理としての表示画面の画像表示に係る処理を示した図である。
【図１１】（ａ）、（ｂ）は、折り畳み時処理としてのデータの移動に係る処理を示した図である。
【図１２】（ａ）、（ｂ）は、折り畳み時処理としてのデータの移動に係る処理を示した図である。
【図１３】（ａ）、（ｂ）は、折り畳み時処理としてのアプリケーションソフトウェアを動作させる処理を示した図である。
【図１４】端末装置のハードウェア構成例を示した図である。
【発明を実施するための形態】
【０００８】
以下、添付図面を参照して、本発明の実施の形態について詳細に説明する。
図１は、本実施形態に係る端末装置１の全体図である。また、図２（ａ）〜（ｄ）および図３（ａ）〜（ｄ）は、端末装置１が変形したときの形態を示した図である。
図１に示すように、表示装置の一例としての端末装置１は、画像を表示する画像表示部２と、端末装置１全体を制御する制御部３とを備える。
なお、本実施形態では、図１に示す端末装置１の長手方向を縦方向Ｖとし、端末装置１の長手方向と交差する方向であって端末装置１の幅方向を横方向Ｈとして説明を行う。
【０００９】
画像表示部２は、画像を表示する表示画面２１と、表示画面２１に作用する作用部２２とを備える。
表示画面２１は、タッチパネルとして機能するようになっている。表示画面２１としては、例えば、有機ＥＬディスプレイを用いることができる。
【００１０】
また、本実施形態の表示画面２１は、折り曲げが可能になっている。
図２（ａ）〜（ｃ）に示すように、表示画面２１の縦方向Ｖの任意の位置において、横方向Ｈに延びる境界線Ｌ１を折り目として表示画面２１を二つ折り（縦折り）することができる。すなわち、本実施形態では、表示画面２１の縦方向Ｖにおけるいずれの位置でも、境界線Ｌ１を折り目として表示画面２１を縦折りすることができる。また、縦折りした表示画面２１は、図２（ｄ）に示すように、そのまま折り畳むことができる。
【００１１】
さらに、図３（ａ）〜（ｃ）に示すように、表示画面２１の横方向Ｈの任意の位置において、縦方向Ｖに延びる境界線Ｌ２を境界として表示画面２１を二つ折り（横折り）することができる。縦折りの場合と同様に、表示画面２１の横方向Ｈにおけるいずれの位置でも、境界線Ｌ２を折り目として表示画面２１を横折りすることができる。また、横折りした表示画面２１は、図３（ｄ）に示すように、そのまま折り畳むことができる。
【００１２】
図１に示す作用部２２は、例えば、導電性樹脂材料により形成される。作用部２２は、全部で４箇所に設けられており、具体的には、表示画面２１の四隅の部分にそれぞれ一つずつ設けられている。
また、作用部２２は、表示画面２１から僅かに突出している。そのため、表示画面２１を折り畳むと、作用部２２が表示画面２１の一部に押し当たる。なお、作用部２２の具体的な構成や位置については、後に詳述する。
【００１３】
本実施形態では、表示画面２１を折り畳むと、作用部２２が表示画面２１の一部に押し当たり、作用部２２が表示画面２１に押し当たる位置が検知される。また、表示画面２１を折り畳むと表示画面２１の一部若しくは全ての領域が相重なるが（図２（ｄ）および図３（ｄ）参照）、本実施形態では、作用部２２が表示画面２１に押し当たる位置に基づいて、表示画面２１のうちの相重なる領域が算出される。
さらに、本実施形態では、表示画面２１のうちの一部の領域と他の一部の領域とが重なっていることが検知されると、端末装置１は、予め定められた処理を行う。すなわち、端末装置１は、表示画面２１を折り畳んだときに、予め定められた処理（以下、折り畳み時処理と称する）を行う。なお、折り畳み時処理の具体的な内容については、後に詳述する。
【００１４】
図４は、折り畳み時処理を実現するための制御部３の機能構成例を示した図である。
制御部３は、作用部２２が表示画面２１に押し当たる位置を検知する検知部３１と、表示画面２１が相重なっている領域を算出する領域算出部３２とを備える。また、制御部３は、表示画面２１が相重なっている領域に表示されているものに関する情報を取得する表示情報取得部３３と、折り畳み時処理として行う内容を指示する指示部３４と、表示画面２１に表示する画像を制御する描画部３５とを備える。さらに、制御部３は、端末装置１の電源を制御する電源制御部３６と、折り畳み時処理としての種々の処理を実行する処理実行部３７とを備える。
【００１５】
検知部３１は、作用部２２が表示画面２１に押し当たることで表示画面２１のうちの電圧や静電容量が変化する位置に基づいて、作用部２２が表示画面２１に押し当たっている位置を検知する。
領域算出部３２は、作用部２２が表示画面２１に押し当たっている位置に基づいて、表示画面２１が相重なっている領域（以下、重なり領域と称する）を算出する。
【００１６】
表示情報取得部３３は、表示画面２１の重なり領域の各々に表示されているものに関する情報を取得する。取得する情報としては、例えば、表示されている画像に関する情報や、表示されているデータ（例えば、文書ファイルなど）に関する情報や、表示されているアプリケーションソフトウェアに関する情報である。そして、取得した情報を、各領域の識別情報と共に指示部３４へ送信する。
なお、本実施形態では、例えば、データを格納する格納部を表すアイコンが表示画面２１に表示されている場合、この格納部に格納されているデータも、表示画面２１に表示されている情報として取得される。
【００１７】
指示部３４は、表示画面２１の重なり領域の大きさや、重なり領域の各々に表示されている情報の内容に基づいて、折り畳み時処理として実行する内容を決定する。そして、描画部３５、電源制御部３６、若しくは、処理実行部３７に対して、折り畳み時処理を実行するために必要な指示を送信する。
【００１８】
描画部３５は、指示部３４からの指示に基づいて、表示画面２１の特定の領域に画像を表示させる。
電源制御部３６は、指示部３４からの指示に基づいて、端末装置１の電源の入り切りを行う。
処理実行部３７は、指示部３４からの指示に基づいて、データの移動や、画像の印刷指示の出力や、アプリケーションソフトウェアを用いたデータの処理等を実行する。
【００１９】
なお、描画部３５、電源制御部３６、および、処理実行部３７が実行する処理の内容については、後に詳述する。また、指示部３４、描画部３５、電源制御部３６、および、処理実行部３７は、実行部としての一例である。
【００２０】
次に、作用部２２の詳細について説明する。
図５は、端末装置１における４つの作用部２２の相互の位置関係を示した図である。なお、以下の説明では、作用部２２の各々を、第１作用部２２ａ、第２作用部２２ｂ、第３作用部２２ｃ、第４作用部２２ｄとして区別する。
作用部２２は、円形の形状を有しており、表面の面積が面積Ｒである。
【００２１】
第１作用部２２ａおよび第２作用部２２ｂは、ともに表示画面２１の縦方向Ｖにおける一方側（図中右側）の端部に設けられている。また、第１作用部２２ａと第２作用部２２ｂとは、縦方向Ｖにおける位置が揃っていない。具体的には、第２作用部２２ｂは、第１作用部２２ａよりも、表示画面２１の縦方向Ｖにおける外側に設けられている。
【００２２】
第１作用部２２ａおよび第３作用部２２ｃは、ともに表示画面２１の横方向Ｈにおける一方側（図中左側）の端部に設けられている。また、第１作用部２２ａと第３作用部２２ｃとは、横方向Ｈにおける位置が揃っていない。具体的には、第１作用部２２ａは、第３作用部２２ｃよりも、表示画面２１の横方向Ｈにおける外側に設けられている。
【００２３】
第２作用部２２ｂおよび第４作用部２２ｄは、ともに表示画面２１の横方向Ｈにおける他方側（図中右側）の端部に設けられている。また、第２作用部２２ｂと第４作用部２２ｄとは、横方向Ｈにおける位置が揃っていない。具体的には、第４作用部２２ｄは、第２作用部２２ｂよりも、表示画面２１の横方向Ｈにおける外側に設けられている。
【００２４】
第３作用部２２ｃおよび第４作用部２２ｄは、ともに表示画面２１の縦方向Ｖにおける他方側（図中左側）の端部に設けられている。また、第３作用部２２ｃと第４作用部２２ｄとは、縦方向Ｖにおける位置が揃っていない。具体的には、第３作用部２２ｃは、第４作用部２２ｄよりも、表示画面２１の縦方向Ｖにおける外側に設けられている。
【００２５】
また、第１作用部２２ａと第２作用部２２ｂとの間の距離、および、第３作用部２２ｃと第４作用部２２ｄとの間の距離は、ともに距離Ｘである。また、第１作用部２２ａと第３作用部２２ｃとの間の距離、および、第２作用部２２ｂと第４作用部２２ｄとの間の距離は、ともに距離Ｙである。さらに、距離Ｘと距離Ｙとの間には、距離Ｘ＜距離Ｙの関係が成立する。
【００２６】
次に、表示画面２１における重なり領域の検知処理について説明する。
図６（ａ）、（ｂ）は、表示画面２１を縦折りして畳んだときに表示画面２１の重なり領域として検知される領域を示した図である。
図６（ａ）に示すように、表示画面２１の縦方向Ｖにおける中央部２１Ｍよりも図中右側において、境界線Ｌ１を縦折りの折り目として表示画面２１を折り畳むと、第１作用部２２ａおよび第２作用部２２ｂは、表示画面２１に押し当たる。すると、検知部３１は、第１作用部２２ａが表示画面２１に押し当たる位置である第１押し当たり位置２１ｅ、第２作用部２２ｂが表示画面２１に押し当たる第２押し当たり位置２１ｆを検知する。なお、このとき、第３作用部２２ｃおよび第４作用部２２ｄは、表示画面２１に接触していない。
【００２７】
また、検知部３１は、４つの作用部２２のうちの何れのものが表示画面２１に押し当たっているかを判断する。ここで、第３作用部２２ｃおよび第４作用部２２ｄが表示画面２１に押し当たるように縦折りする場合、第３作用部２２ｃの第３押し当たり位置２１ｇは、第１作用部２２ａの第１押し当たり位置２１ｅから、横方向Ｈにおける図中右側にずれる。また、第４作用部２２ｄの第４押し当たり位置２１ｈも、第２作用部２２ｂの第２押し当たり位置２１ｆから、横方向Ｈにおける図中右側にずれる。
【００２８】
そのため、検知部３１は、作用部２２の押し当たり位置に基づいて、作用部２２のうちの何れのものが表示画面２１に押し当たっているかを判断する。図６（ａ）に示す例では、検知部３１は、押し当たり位置としての第１押し当たり位置２１ｅ、第２押し当たり位置２１ｆから、作用部２２のうちの第１作用部２２ａおよび第２作用部２２ｂが表示画面２１に押し当たっていると判断する。
【００２９】
続いて、領域算出部３２は、表示画面２１の重なり領域を算出する。具体的には、まず、領域算出部３２は、第１作用部２２ａから第１押し当たり位置２１ｅまでの中間の位置、および、第２作用部２２ｂから第２押し当たり位置２１ｆまでの中間の位置を境界線Ｌ１の位置として算出する。
【００３０】
そして、領域算出部３２は、境界線Ｌ１から表示画面２１のうちの第１作用部２２ａ、第２作用部２２ｂ側の先端までの領域を重なり領域２１ａとして検知する。また、境界線Ｌ１を介して重なり領域２１ａとは反対側の領域を、重なり領域２１ｂとして検知する。重なり領域２１ａと重なり領域２１ｂとは、同面積である。さらに、重なり領域２１ａ、重なり領域２１ｂの範囲に基づいて、表示画面２１のうちの相重ならない領域２１ｃも検知する。
【００３１】
図６（ｂ）に示すように、表示画面２１の縦方向Ｖにおける中央部２１Ｍにおいて、境界線Ｌ１を縦折りの折り目として表示画面２１を折り畳むと、第１作用部２２ａ、第２作用部２２ｂ、第３作用部２２ｃ、第４作用部２２ｄは、表示画面２１に押し当たる。すると、検知部３１は、第１押し当たり位置２１ｅ、第２押し当たり位置２１ｆ、第３押し当たり位置２１ｇ、第４押し当たり位置２１ｈを検知する。
【００３２】
続いて、領域算出部３２は、第１押し当たり位置２１ｅ、第２押し当たり位置２１ｆ、第３押し当たり位置２１ｇ、第４押し当たり位置２１ｈに基づいて、境界線Ｌ１の位置を算出する。そして、境界線Ｌ１から表示画面２１のうちの第１作用部２２ａ、第２作用部２２ｂ側の先端までの領域を重なり領域２１ａとして検知する。また、境界線Ｌ１を介して重なり領域２１ａとは反対側の領域を、重なり領域２１ｂとして検知する。図６（ｂ）に示す例では、表示画面２１のうちの相重ならない領域は存在しない。
【００３３】
なお、図６（ａ）、（ｂ）に示した例では、横方向Ｈに平行な境界線Ｌ１を折り目として表示画面２１を縦折りする場合について説明した。すなわち、表示画面２１を縦折りして畳む際には、表示画面２１のうちの折り目の一方側と他方側とでは、横方向Ｈにおけるずれが生じないものとした。そして、作用部２２の押し当たり位置に基づいて作用部２２のうちの何れのものが表示画面２１に押し当たっているかを判断するものとした。
【００３４】
ここで、横方向Ｈに対して傾斜する境界線を折り目として表示画面２１を折り畳んでもよい。すなわち、表示画面２１を折り畳む際に、表示画面２１のうちの折り目の一方側と他方側とで、横方向Ｈにおけるずれが生じてもよい。このように折り畳まれる端末装置１を用いる場合、第１作用部２２ａから第２作用部２２ｂまでの距離を距離Ｘ１とし、第３作用部２２ｃから第４作用部２２ｄまでの距離を距離Ｘ２とする端末装置１を採用することができる。ここで、距離Ｘ１と距離Ｘ２との間には、距離Ｘ１≠距離Ｘ２の関係が成立する。
【００３５】
このような構成によると、表示画面２１を縦折りして畳んだときに、検知部３１は、二つの押し当たり位置の間の距離に基づいて、作用部２２のうちの何れのものが表示画面２１に押し当たっているかを判断することができる。
【００３６】
また、図６（ａ）、（ｂ）に示した例では、表示画面２１を縦折りして畳んだときの重なり領域について説明したが、表示画面２１を横折りして畳んだときであっても、同様の方法により重なり領域が検知される。
【００３７】
次に、表示画面２１を折り畳んだ際の検知処理について説明する。
図７は、表示画面２１を折り畳んだ際の検知処理の流れを示したフローチャートである。
まず、表示画面２１を折り畳むと、表示画面２１に押し当たるものが存在することが検知部３１により検知される（ステップ１０１）。
【００３８】
続いて、検知部３１は、表示画面２１に押し当たる部分が２箇所以上であって４箇所以下であるか否かを判断する（ステップ１０２）。表示画面２１に押し当たる部分が１箇所若しくは５箇所以上ある場合、（ステップ１０２でＮＯ）、作用部２２ではなくユーザが表示画面２１を押圧していることが考えられる。このような場合、検知部３１は、作用部２２が表示画面２１に押し当たっているとは判断しない。
【００３９】
表示画面２１に押し当たる部分が２箇所以上であって４箇所以下である場合（ステップ１０２でＹＥＳ）、検知部３１は、表示画面２１に押し当たる各部分の領域の面積が面積Ｒ以下であるか否かを判断する（ステップ１０３）。面積Ｒよりも大きい領域の部分がある場合（ステップ１０３でＮＯ）、作用部２２以外のもの（例えば、ユーザの指など）が表示画面２１を押していることが考えられる。このような場合もまた、検知部３１は、作用部２２が表示画面２１に押し当たっているとは判断しない。
【００４０】
表示画面２１に押し当たっている各部分の領域の面積が面積Ｒ以下である場合（ステップ１０３でＹＥＳ）、次のステップに移動する。具体的には、検知部３１は、表示画面２１に押し当たっている各部分の間隔として、距離Ｘよりも短い間隔の箇所があるか否かを判断する（ステップ１０４）。距離Ｘよりも短い間隔の箇所がある場合（ステップ１０４でＹＥＳ）もまた、作用部２２以外のものが表示画面２１を押していることが考えられる。このような場合、検知部３１は、作用部２２が表示画面２１に押し当たっているとは判断しない。
【００４１】
その一方で、距離Ｘよりも短い間隔の箇所がない場合（ステップ１０４でＮＯ）、検知部３１は、作用部２２が表示画面２１に押し当たっていると判断する。
その後、領域算出部３２により表示画面２１の重なり領域が算出される。また、折り畳み時処理を実行する（ステップ１０５）。
【００４２】
続いて、折り畳み時処理について具体的に説明する。
本実施形態の折り畳み時処理では、表示画面２１の画像表示に係る処理と、端末装置１の電源に係る処理と、データの移動に係る処理と、アプリケーションソフトウェアを動作させる処理とをそれぞれ実行可能になっている。なお、この４つの処理は、単独に実行されても、同時に併用されてもよい。
【００４３】
（表示画面２１の画像表示に係る処理、およびデータの移動に係る処理）
図８（ａ）、（ｂ）は、折り畳み時処理としての表示画面２１の画像表示に係る処理を示した図である。図８（ａ）、（ｂ）に示す例では、画像表示に係る処理として、描画部３５は、表示画面２１のうちの相重なっていない領域に画像を表示する。その一方で、描画部３５は、表示画面２１のうちの重なり領域には画像を表示しない。
【００４４】
図８（ａ）に示すように、表示画面２１の縦方向Ｖにおける中央部２１Ｍよりも図中右側において、境界線Ｌ１を縦折りの折り目として表示画面２１を折り畳む。すると、検知部３１は、第１押し当たり位置２１ｅ、および第２押し当たり位置２１ｆを検知する。
また、領域算出部３２は、表示画面２１のうちの重なり領域２１ａ、重なり領域２１ｂを算出するとともに、表示画面２１のうちの相重ならない領域２１ｃを算出する。そして、算出した領域に係る情報を、指示部３４へ送信する。
【００４５】
指示部３４は、領域算出部３２から取得した情報に基づいて、描画部３５に対して、表示画面２１のうちの画像を表示させる領域を指示する。
そして、描画部３５は、表示画面２１のうちの相重ならない領域２１ｃに対して、画像Ｇ１を表示する。その一方で、描画部３５は、表示画面２１のうちの重なり領域２１ａ、重なり領域２１ｂには、画像を表示しない。
【００４６】
図８（ｂ）に示すように、表示画面２１の縦方向Ｖにおける中央部２１Ｍにおいて、境界線Ｌ１を縦折りの折り目として表示画面２１を折り畳む。すると、検知部３１は、第１押し当たり位置２１ｅ、第２押し当たり位置２１ｆ、第３押し当たり位置２１ｇ、第４押し当たり位置２１ｈを検知する。
また、領域算出部３２は、表示画面２１のうちの重なり領域２１ａ、重なり領域２１ｂを算出する。さらに、領域算出部３２は、この算出の結果として、表示画面２１のうちの相重ならない領域が存在しないことを検知する。そして、領域算出部３２は、算出した領域に係る情報を、指示部３４へ送信する。
【００４７】
指示部３４は、領域算出部３２から取得した情報に基づいて、描画部３５に対して、表示画面２１の全ての領域に画像を表示させないことを指示する。
その結果、描画部３５は、表示画面２１の全ての領域に画像を表示しない。
【００４８】
このように、本実施形態では、折り畳み時処理として、表示画面２１のうちの相重なっていない領域に画像を表示し、表示画面２１のうちの重なり領域には画像を表示しない。言い換えると、作用部２２が表示画面２１に作用することで、描画部３５は、画像を表示させる操作を行い、若しくは画像を表示させる操作を行わない。さらに言い換えると、表示画面２１としての表面同士が重なった部分のみには画像が表示されない。これにより、端末装置１が消費する電力量が低減される。
【００４９】
表示画面２１が折り畳まれている際は、表示画面２１のうちの重なり領域は、ユーザが視認することができない。ここで、例えば、この重なり領域にも画像を表示させると、端末装置１が消費する電力量が増大する。
これに対し、本実施形態のように、表示画面２１のうちの重なり領域に画像を表示しない場合、この重なり領域に画像を表示するために要する電力量の消費が低減される。
なお、図８（ａ）、（ｂ）を用いて説明した折り畳み時処理は、重なり領域２１ａ、重なり領域２１ｂに表示されている画像データの移動に係る処理としても捉えられる。
【００５０】
図９は、折り畳み時処理としての表示画面２１の画像表示に係る処理を示した図である。図９に示す例では、画像表示に係る処理として、表示画面２１の一端部と他端部とが重なっている場合に表示画面２１の全ての領域に画像を表示しない。
【００５１】
図９に示すように、表示画面２１の横方向Ｈにおける中央部２１Ｎよりも僅かに図中左側において、境界線Ｌ２を横折りの折り目として表示画面２１を折り畳む。すると、検知部３１は、第１押し当たり位置２１ｅ、第２押し当たり位置２１ｆ、第３押し当たり位置２１ｇ、第４押し当たり位置２１ｈを検知する。
また、領域算出部３２は、表示画面２１のうちの重なり領域２１ａ、重なり領域２１ｂを算出するとともに、表示画面２１のうちの相重なっていない領域２１ｃを算出する。そして、領域算出部３２は、算出した領域に係る情報を、指示部３４へ送信する。
【００５２】
指示部３４は、領域算出部３２から取得した情報に基づいて、描画部３５に対して、表示画面２１の全ての領域に画像を表示させないことを指示する。
その結果、描画部３５は、表示画面２１の全ての領域に画像を表示しない。
【００５３】
このように、本実施形態では、全ての作用部２２（第１作用部２２ａ、第２作用部２２ｂ、第３作用部２２ｃ、および、第４作用部２２ｄ）が表示画面２１に押し当たっていることが検知された場合、表示画面２１の全ての領域に画像を表示させない。言い換えると、表示画面２１のうちの一端部と他端部とが重なっていることが検知されると、表示画面２１の全ての領域に画像を表示させない。
これにより、ユーザにとって視認が困難である画像が表示画面２１に表示されることが抑制される。
【００５４】
全ての作用部２２が表示画面２１に押し当たっている場合、表示画面２１のうちの相重ならない領域が存在するとしても、その領域は非常に狭い。そのため、この領域に画像を表示しても、ユーザはこの画像を視認することが困難である。また、この領域に画像を表示する場合、端末装置１が消費する電力量が増大する。
これに対し、本実施形態のように、全ての作用部２２が表示画面２１に押し当たっている場合には表示画面２１に画像を表示しない構成であると、ユーザにとって視認が困難である画像が表示されることが抑制される。その結果、端末装置１が消費する電力量が低減される。
【００５５】
（表示装置１の電源に係る処理）
なお、本実施形態では、図８（ｂ）に示したように表示画面２１の全ての領域が相重なっている場合や、図９に示したように全ての作用部２２が表示画面２１に押し当たっている場合に、表示画面２１の全ての領域に画像を表示させないこととした。ここで、これらの場合には、電源制御部３６により、端末装置１の電源を切ることとしてもよい。このようにすれば、ユーザが端末装置１を見なくなることを契機として端末装置１の電源が切られる。
【００５６】
（表示画面２１の画像表示に係る処理）
図１０（ａ）、（ｂ）は、折り畳み時処理としての表示画面２１の画像表示に係る処理を示した図である。図１０（ａ）、（ｂ）に示す例では、画像表示に係る処理として、表示画面２１を折り畳んだ際に、表示画面２１のうちの一方の領域に表示されている画像と他方の領域に表示されている画像とを互いに入れ替える。より具体的には、表示画面２１のうちの第１の画像が表示されている第１の重なり領域と、第２の画像が表示されている第２の重なり領とが重なる場合に、表示画面２１のうちの第１の重なり領域に第２の画像を表示し、第２の重なり領域に第１の画像を表示する。
【００５７】
図１０（ａ）に示すように、表示画面２１の縦方向Ｖにおける図中奥側には、画像Ｇ２が表示されている。また、図中手前側には、画像Ｇ３が表示されている。
表示画面２１を縦折りして畳むと、作用部２２の押し当たり位置が検知部３１により検知された後に、表示画面２１のうちの重なり領域２１ａ、重なり領域２１ｂが領域算出部３２により算出される。また、領域算出部３２は、算出した重なり領域２１ａ、重なり領域２１ｂに係る情報を、表示情報取得部３３へ送信する。
【００５８】
表示情報取得部３３は、表示画面２１のうちの重なり領域２１ａ、重なり領域２１ｂの各々に表示されているものに関する情報を取得する。具体的には、表示情報取得部３３は、重なり領域２１ａに画像Ｇ２が表示されているという情報を取得する。また、重なり領域２１ｂに画像Ｇ３が表示されているという情報を取得する。表示情報取得部３３は、取得した情報を、重なり領域２１ａ、重なり領域２１ｂの識別情報と共に指示部３４へ送信する。
【００５９】
指示部３４は、表示情報取得部３３から取得した情報に基づいて、重なり領域２１ａ、重なり領域２１ｂのそれぞれに表示させる画像を描画部３５に指示する。
描画部３５は、指示部３４の指示に基づいて、図１０（ｂ）に示すように、重なり領域２１ａに画像Ｇ３を表示する。また、重なり領域２１ｂに画像Ｇ２を表示する。
【００６０】
このように、本実施形態では、折り畳み時処理として、表示画面２１を折り畳む前に重なり領域２１ａに表示されている画像と重なり領域２１ｂに表示されている画像とを入れ替える。これにより、ユーザの直感的な操作（表示画面２１のうちの画像Ｇ２が表示されている領域を、画像Ｇ３が表示されている領域に接触させる操作）により、画像Ｇ２と画像Ｇ３との入れ替えが行われる。
【００６１】
（アプリケーションソフトウェアを動作させる処理）
なお、図１０（ａ）、（ｂ）に示した例において、折り畳み時処理として、表示画面２１のうちの重なり領域２１ａに表示されている画像Ｇ２と、重なり領域２１ｂに表示されている画像Ｇ３との印刷が行われるようにしてもよい。この場合、指示部３４は、表示情報取得部３３から取得した情報に基づいて、重なり領域２１ａに表示されている画像Ｇ２と重なり領域２１ｂに表示されている画像Ｇ３とを印刷することを処理実行部３７に指示する。
【００６２】
処理実行部３７は指示部３４からの指示に基づいて、ネットワークを介して端末装置１に接続されている画像形成装置（不図示）に対して印刷指示を出力する。これにより、画像形成に係るアプリケーションソフトウェアを動作させて印刷を行う。なお、重なり領域２１ａに表示されている画像と重なり領域２１ｂに表示されている画像とを１枚ずつ印刷しても良いし、二つの画像を１枚の用紙にまとめて印刷しても良い。
これにより、二つの画像の印刷するための操作をそれぞれ行う必要がなくなる。
【００６３】
（データの移動に係る処理）
図１１（ａ）、（ｂ）は、折り畳み時処理としてのデータの移動に係る処理を示した図である。図１１（ａ）、（ｂ）に示す例では、データの移動に係る処理として、データを格納する格納部の対象を切り替える処理を行う。より具体的には、表示画面２１のうちのデータを格納する第１の格納部が表示されている第１の重なり領域と、データが格納されている第２の格納部が表示されている第２の重なり領域とが重なる場合、第２の格納部に格納されているデータを、第１の格納部に格納する。
【００６４】
図１１（ａ）に示すように、表示画面２１の縦方向Ｖにおける図中奥側には、データ（例えば、文書ファイル）を格納する格納部を表すアイコンＧ４が表示されている。また、このアイコンＧ４が表す格納部には、文書ファイルが格納されている。
一方、表示画面２１の縦方向Ｖにおける図中手前側には、格納部を表すアイコンＧ５が表示されている。アイコンＧ５が表す格納部には、データは格納されていない。
【００６５】
表示画面２１を縦折りして畳むと、作用部２２の押し当たり位置が検知部３１により検知された後に、表示画面２１のうちの重なり領域２１ａ、重なり領域２１ｂが領域算出部３２により算出される。また、領域算出部３２は、算出した重なり領域２１ａ、重なり領域２１ｂに係る情報を、表示情報取得部３３へ送信する。
【００６６】
表示情報取得部３３は、表示画面２１のうちの重なり領域２１ａ、重なり領域２１ｂの各々に表示されているものに関する情報を取得する。具体的には、表示情報取得部３３は、重なり領域２１ａにアイコンＧ４が表示されているという情報を取得する。また、このアイコンＧ４が表す格納部に文書ファイルが格納されているという情報を取得する。さらに、重なり領域２１ｂにアイコンＧ５が表示されているという情報を取得する。表示情報取得部３３は、取得した情報を、各重なり領域２１ａ、重なり領域２１ｂの識別情報と共に指示部３４へ送信する。
【００６７】
指示部３４は、表示情報取得部３３から取得した情報に基づいて、処理実行部３７に対して、文書ファイルを格納する格納部の対象を切り替えることを指示する。
処理実行部３７は、指示部３４の指示に基づいて、図１１（ｂ）に示すように、アイコンＧ５が表す格納部に文書ファイルを移動させる。その結果、アイコンＧ４が表す格納部には、文書ファイルが格納されなくなる。
【００６８】
このように、本実施形態では、折り畳み時処理として、重なり領域２１ａに表示されている格納部と、重なり領域２１ｂに表示されている格納部との間で、データを格納する対象（以下、格納対象と称する）の切り替えを行う。これにより、格納対象を切り替えるためにユーザが行う作業の数が少なくなる。
【００６９】
格納対象を切り替える場合、データが格納されている格納部を開いてデータ（データを表すアイコン）を表示させてから、このデータを格納する対象を切り替える作業を行う必要がある。
これに対し、本実施形態のように、表示画面２１を折り畳むことにより格納対象が切り替わると、データが格納されている格納部を開く操作が不要になる。その結果、格納対象を切り替えるためにユーザが行う作業の数が少なくなる。
【００７０】
なお、図１１（ａ）、（ｂ）に示した例では、表示画面２１に表示されている一方の格納部にデータが格納されており、他方の格納部にはデータが格納されていない場合の折り畳み時処理について説明した。ここで、両方の格納部にそれぞれ異なるデータが格納されている場合であっても、折り畳み時処理として、一方の格納部に格納されているデータを他方の格納部に格納してもよい。この場合、折り畳み時処理が行われる場合におけるデータの格納対象を、ユーザが予め指定しておく。その後、折り畳み時処理が行われると、一方の格納部に格納されているデータは、ユーザに指定された他方の格納部に格納される。
【００７１】
また、折り畳み時処理としてアイコンＧ５が表す格納部に文書ファイルを格納するとともに、アイコンＧ４が表す格納部にも文書ファイルを残すこととしてもよい。また、表示画面２１を折り畳んだときに、アイコンＧ４が表す格納部およびアイコンＧ５が表す格納部のいずれか一方若しくは両方が開いている場合であっても、この文書ファイルの移動を行うこととしてもよい。さらに、表示画面２１を折り畳んだときに、文書ファイルが開いている場合であっても、この文書ファイルの移動を行うこととしてもよい。
【００７２】
図１２（ａ）、（ｂ）は、折り畳み時処理としてのデータの移動に係る処理を示した図である。図１２（ａ）、（ｂ）に示す例では、データの移動に係る処理として、表示画面２１のうちの重なり領域の一方側に表示されているデータを、他方側に表示されている格納部に格納する処理を行う。より具体的には、表示画面２１のうちのデータを格納する格納部が表示されている第１の重なり領域と、データが表示されている第２の重なり領域とが重なる場合、第２の重なり領域に表示されているデータを格納部に格納する。
【００７３】
図１２（ａ）に示すように、表示画面２１の縦方向Ｖにおける図中奥側には、文書ファイルを表すアイコンＧ６が表示されている。また、表示画面２１の図中手前側には、格納部を表すアイコンＧ７が表示されている。
【００７４】
表示画面２１を縦折りして畳むと、作用部２２の押し当たり位置が検知部３１により検知された後に、表示画面２１のうちの重なり領域２１ａ、重なり領域２１ｂが領域算出部３２により算出される。また、領域算出部３２は、算出した重なり領域２１ａ、重なり領域２１ｂに係る情報を、表示情報取得部３３へ送信する。
【００７５】
表示情報取得部３３は、表示画面２１のうちの重なり領域２１ａ、重なり領域２１ｂの各々に表示されているものに関する情報を取得する。具体的には、表示情報取得部３３は、重なり領域２１ａにアイコンＧ６が表示されているという情報を取得する。また、重なり領域２１ｂにアイコンＧ７が表示されているという情報を取得する。表示情報取得部３３は、取得した情報を、重なり領域２１ａ、重なり領域２１ｂの識別情報と共に指示部３４へ送信する。
指示部３４は、表示情報取得部３３から取得した情報に基づいて、文書ファイルを格納部に格納することを処理実行部３７に指示する。
【００７６】
処理実行部３７は、指示部３４の指示に基づいて、図１２（ｂ）に示すように、アイコンＧ７が表す格納部に文書ファイルを移動させる。その結果、重なり領域２１ａには、アイコンＧ６が表示されなくなる。
【００７７】
このように、本実施形態では、折り畳み時処理として、重なり領域の一方側に含まれるデータを、他方側に含まれる格納部に格納する処理を行う。これにより、ユーザの直感的な操作（表示画面２１のうちのデータが表示されている領域を、格納部が表示されている領域に接触させる操作）に応じて、データが格納部に格納される。
【００７８】
なお、表示画面２１を折り畳んだときに、重なり領域２１ａでは文書ファイルが開かれておりアイコンＧ６が表示されていない場合であっても、この文書ファイルを格納部に格納することとしてもよい。
【００７９】
（アプリケーションソフトウェアを動作させる処理）
図１３（ａ）、（ｂ）は、折り畳み時処理としてのアプリケーションソフトウェアを動作させる処理を示した図である。図１３（ａ）、（ｂ）に示す例では、アプリケーションソフトウェアを動作させる処理として、表示画面２１の一方側に表示されているアプリケーションソフトウェアを用いて、他方側に表示されているデータの処理を行う。より具体的には、表示画面２１のうちのデータが表示されている第１の重なり領域と、アプリケーションソフトウェアに係る表示がされている第２の重なり領域とが重なる場合に、このアプリケーションソフトウェアを用いて第１の重なり領域に表示されているデータを処理する。
【００８０】
図１３（ａ）に示すように、表示画面２１の縦方向Ｖにおける図中奥側には、文書ファイルが開かれた画像Ｇ８が表示されている。具体的には、「I’m a human.」という文章が記載された画像Ｇ８が表示されている。また、表示画面２１の図中手前側には、英語を翻訳するアプリケーションソフトウェアが開かれた画像Ｇ９が表示されている。より具体的には、アプリケーションソフトウェアを用いることが可能な状態を表す画像Ｇ９が表示されている。
【００８１】
表示画面２１を縦折りして畳むと、作用部２２の押し当たり位置が検知部３１により検知された後に、表示画面２１のうちの重なり領域２１ａ、重なり領域２１ｂが領域算出部３２により算出される。また、領域算出部３２は、算出した重なり領域２１ａ、重なり領域２１ｂに係る情報を、表示情報取得部３３へ送信する。
【００８２】
表示情報取得部３３は、表示画面２１のうちの重なり領域２１ａ、重なり領域２１ｂの各々に表示されているものに関する情報を取得する。具体的には、表示情報取得部３３は、重なり領域２１ａに文書ファイルが開かれた画像Ｇ８が表示されているという情報を取得する。また、重なり領域２１ｂにアプリケーションソフトウェアが開かれた画像Ｇ９が表示されているという情報を取得する。表示情報取得部３３は、取得した情報を、各重なり領域２１ａ、重なり領域２１ｂの識別情報と共に指示部３４へ送信する。
【００８３】
指示部３４は、表示情報取得部３３から取得した情報に基づいて、アプリケーションソフトウェアを用いて文書ファイルを処理することを処理実行部３７に指示する。
処理実行部３７は、指示部３４の指示に基づいて、アプリケーションソフトウェアを用いて文書ファイルに含まれる文書を翻訳する。その結果、図１３（ｂ）に示すように、重なり領域２１ｂには、翻訳された文書が記載された画像Ｇ１０が表示される。具体的には、「私は人間です。」と記載された画像Ｇ１０が表示される。
【００８４】
このように、本実施形態では、折り畳み時処理として、表示画面２１の一方側に表示されているアプリケーションソフトウェアを用いて、他方側に表示されているデータの処理を行う。これにより、ユーザの直感的な操作（表示画面２１のうちの利用したいアプリケーションソフトウェアが表示されている領域と処理したデータが表示されている領域とを接触させる操作）に応じて、データの処理を実行することができる。
【００８５】
なお、重なり領域２１ａに文書ファイルを表すアイコンが表示されている状態であって、文書ファイルが開かれた画像が表示されていない場合であっても、折り畳み時処理としてこの文書ファイルに含まれる文書を翻訳する処理を行うこととしてもよい。さらに、重なり領域２１ｂにアプリケーションソフトウェアを表すアイコンが表示されている状態であって、アプリケーションソフトウェアが開かれていない場合であっても、このアプリケーションソフトウェアを用いてデータを処理することとしてもよい。
【００８６】
また、図１０〜図１３に示した例では、表示画面２１を縦折りして畳んだ際の折り畳み時処理について説明したが、表示画面２１を横折りして畳んだ場合であっても、縦折りの場合と同様に折り畳み時処理が行われる。
さらに、図１０〜図１３で示した各折り畳み時処理は、表示画面２１が折り畳まれて表示画面２１の重なり領域に画像が表示されていないときに行われてもよい。
【００８７】
また、本実施形態では、表示画面２１としての一つの画面を折り畳み、画面の表面同士が重なると予め定められた処理を行う構成とした。ここで、二つ以上の画面を用いて表示画面２１を構成してもよい。例えば、表示画面２１の縦方向Ｖにおける中央部よりも一方側と他方側とに異なる画面が設けられていてもよい。そして、このような表示画面２１のいずれの位置を折り目としても折り畳める構成としてもよい。
【００８８】
また、本実施形態では、表示画面２１が折れ曲がる構成とした。ここで、表示画面２１は、折れずに湾曲する構成であってもよい。この場合であっても、作用部２２が表示画面２１に押し当たることが検知されれば、折り畳み時処理を行うこととしてもよい。
【００８９】
また、本実施形態では、表示画面２１に４つの作用部２２が設けられる構成とした。ここで、表示画面２１には、５つ以上の作用部２２が設けられていてもよい。
例えば、上述した４つの作用部２２が表示画面２１の各々の隅の部分に設けられることに加えて、表示画面２１の一端部に３つ目の作用部２２が設けられている構成であるとする。この構成によると、表示画面２１の一端部が表示画面２１の一部の領域に重なり、この一端部に設けられた３つの作用部２２が一部の領域に押し当たることが検知されると折り畳み時処理を実行することとなる。その結果、ユーザが二本の指で表示画面２１に触れることに起因して表示画面２１が相重なっていると誤検知されることが抑制される。
【００９０】
また、本実施形態では、図７に示したように、表示画面２１に押し当たる部分が２箇所以上存在することを、折り畳み時処理を行うための条件の一つとした。ここで、表示画面２１に押し当たる部分が１箇所であっても、折り畳み時処理を行うこととしてもよい。
【００９１】
この場合、第１作用部２２ａ、第２作用部２２ｂ、第３作用部２２ｃ、および、第４作用部２２ｄの表面の面積を、それぞれ異ならせる構成を採用することができる。
このような構成によると、表示画面２１を折り畳んだときに、検知部３１は、表示画面２１に押し当たる部分の面積に基づいて、４つの作用部２２のうちの何れのものが表示画面２１に押し当たっているかを判断する。そして、領域算出部３２は、特定された作用部２２の押し当たり位置に基づいて、表示画面２１のうちの重なり領域を算出することができる。
【００９２】
また、本実施形態では、作用部２２が表示画面２１に押し当たると折り畳み時処理が行われる構成とした。ここで、表示画面２１に作用部２２を設けなくてもよい。この場合、例えば、表示画面２１の裏側に光を受光する受光部を設ける構成を採用することができる。このような構成によると、表示画面２１を折り畳んだ際に、表示画面２１の重なり領域の一方側から光が出射され、この光を、重なり領域の他方側に設けられた受光部が受光する。そして、受光部の受光量が予め定められた大きさ以上になると、表示画面２１が折り畳まれていることが検知され、折り畳み時処理を行うこととしてもよい。
【００９３】
図１４は、端末装置１のハードウェア構成例を示した図である。端末装置１は、ＣＰＵ（Central Processing Unit）９１と、メインメモリ９２及びＨＤＤ（Hard Disk Drive）９３とを備える。ここで、ＣＰＵ９１は、ＯＳ（Operating System）やアプリケーションソフトウェア等の各種プログラムを実行する。また、メインメモリ９２は、各種プログラムやその実行に用いるデータ等を記憶し、ＨＤＤ９３は、各種プログラムに対する入力データや各種プログラムからの出力データ等を記憶する。更に、端末装置１は、外部との通信を行うための通信インターフェース（以下、「通信Ｉ／Ｆ」と表記する）９４を備える。
【００９４】
以上述べた本実施の形態における端末装置１が行う処理は、例えば、アプリケーションソフトウェア等のプログラムとして用意される。
なお、本実施形態を実現するプログラムは、ＣＤ−ＲＯＭ等の記録媒体に格納して提供することも可能である。
【符号の説明】
【００９５】
１…端末装置、２…画像表示部、３…制御部、２１…表示画面、２２…作用部、３１…検知部、３２…領域算出部、３３…表示情報取得部、３４…指示部、３５…描画部、３６…電源制御部、３７…処理実行部、９１…ＣＰＵ、９２…メインメモリ、９３…ＨＤＤ、９４…通信Ｉ／Ｆ
【図１】
2018077289.tif 000003
【図２】
2018077289.tif 000004
【図３】
2018077289.tif 000005
【図４】
2018077289.tif 000006
【図５】
2018077289.tif 000007
【図６】
2018077289.tif 000008
【図７】
2018077289.tif 000009
【図８】
2018077289.tif 000010
【図９】
2018077289.tif 000011
【図１０】
2018077289.tif 000012
【図１１】
2018077289.tif 000013
【図１２】
2018077289.tif 000014
【図１３】
2018077289.tif 000015
【図１４】
2018077289.tif 000016